(57)【要約】【課題】表示装置の双方向走査回路において、隣接する両側配線の同時電圧変化によるノイズの飛込みを抑制する。【解決手段】表示装置は、マトリクス状に画素が配された表示部と、各画素を順次駆動する駆動部とからなる。駆動部は、外部から入力されたタイミング用の信号ＶＳＰを一端から他端に順次伝送する信号伝送回路２１，２２を含む。各信号伝送回路は、画像の反転表示を可能とする為双方向型であり、両端にそれぞれ設けた入力端子を接続する配線及び両端にそれぞれ設けた出力端子を接続する配線が平行に配されている。駆動部は、双方向型の信号伝送回路が複数個並列に配置されており、これらに属する複数本の配線ｖｓｐ１，ｖｓｐ２，ｏｕｔ１，ｏｕｔ２が互いに隣接して平行配置している。一本の配線の両側に隣接する二本の配線を通る信号の極性変化が互いに反対方向となる様に片方の配線の両端に極性反転素子２３が挿入されている。【選択図】      図８
2004157437.tif 000002
【特許請求の範囲】
【請求項１】
マトリクス状に画素が配された表示部と、各画素を順次駆動して該表示部に画像を表示する駆動部とからなり、
前記駆動部は、外部から入力されたタイミング用の信号を一端から他端に順次伝送することで該画素を順次駆動する信号伝送回路を含み、
前記信号伝送回路は、画像の反転表示を可能とする為、該信号を一端と他端の両端間で方向を切り換えて転送可能な双方向型であり、両端にそれぞれ設けた入力端子を接続する配線及び両端にそれぞれ設けた出力端子を接続する配線が平行に配されており、
前記駆動部は、該双方向型の信号伝送回路が複数個並列に配置されており、これらに属する複数本の配線が互いに隣接して平行配置しており、
一本の配線の両側に隣接する二本の配線を通る信号の極性変化が互いに反対方向となる様に調整する調整手段を備えたことを特徴とする表示装置。
【請求項２】
前記調整手段は、該二本の配線のうち片方の配線の両端に挿入された極性反転素子からなることを特徴とする請求項１記載の表示装置。
【請求項３】
前記表示部は、該駆動部によって点灯駆動及び消灯駆動される自発光型の画素を有し、
前記駆動部は、各画素を点灯駆動する第１の双方向型信号伝送回路と、各画素を消灯駆動する為該第１の双方向型信号伝送回路に並列配置された第２の双方向型信号伝送回路とを含むことを特徴とする請求項１記載の表示装置。
【請求項４】
前記自発光型の画素は有機ＥＬ素子からなることを特徴とする請求項３記載の表示装置。
【発明の詳細な説明】
【０００１】
【発明の属する技術分野】
本発明は、マトリクス状に画素が配された画素部と、各画素部を順次駆動して表示部に画像を表示する駆動部とからなるアクティブマトリクス型の表示装置に関する。詳しくは、画像の反転表示を可能とする為、駆動部に双方向型の信号伝送回路を用いた表示装置に関する。更に詳しくは、双方向型信号伝送回路を複数個並列配置した駆動部内で生じる飛び込みノイズの低減化技術に関する。
【０００２】
【従来の技術】
多結晶シリコン薄膜トランジスタなどを用いた駆動回路内蔵型のアクティブマトリクス表示装置は、液晶表示装置やＥＬ表示装置に使われている。液晶表示装置の場合、例えばカメラ一体型ＶＴＲや情報携帯端末などで使われているディスプレイに関しては、モニタ部を自在に回転して画像を表示するアプリケーションに対応する為、駆動回路に左右反転機能や上下反転機能を備えた、いわゆる双方向信号伝送回路内蔵の表示装置が使われている。双方向型の信号伝送回路は特許文献１〜特許文献７に記載がある。又、近年表示装置の大型化に伴い、複数の表示パネルをつなぎ合わせて大画面を構成するアプローチが注目を集めている。例えば四枚のパネルで一つの大画面を構成する。対角線上に位置するパネルに同一構成のものを用いる場合、１８０度回転させて配置することになり、画像の走査方向を統一する為には一つ一つの表示装置が双方向信号伝送回路を内蔵する必要がある。
【０００３】
【特許文献１】特開平７−１３５１３号公報
【特許文献２】特開平７−１４６４６２号公報
【特許文献３】特開平８−５５４９３号公報
【特許文献４】特開平８−７９６６３号公報
【特許文献５】特開平８−１０６７９５号公報
【特許文献６】特開平１１−１７６１８６号公報
【特許文献７】特開平１１−３０５７４２号公報
【０００４】
従来のアクティブマトリクス型表示装置は、一般に表示部と周辺の駆動部を同一基板に集積したパネル構造を有している。表示部には、画素がマトリクス状に配されている。駆動部は、各画素を順次駆動して表示部に画像を表示する。駆動部は、外部から入力されたタイミング用の信号を一端から他端に順次伝送することで、画素を順次駆動する信号伝送回路を含む。信号伝送回路は、画像の反転表示を可能とする為、信号を一端と他端の両端間で方向を切り換えて転送可能な双方向型であり、両端にそれぞれ設けた入力端子を接続する配線及び両端にそれぞれ設けた出力端子を接続する配線が平行に配されている。
【０００５】
【発明が解決しようとする課題】
表示装置は画素として液晶セルや有機ＥＬ素子を用いることができる。素子の特性に適した駆動を行う為、場合により駆動部は双方向型の信号伝送回路を複数個並列に配置する場合がある。この時には実装効率の観点から、複数個の双方向型信号伝送回路に属する複数本の配線が、互いに隣接して平行配置されることが多い。しかしながらこの様な平行配置では一本の配線の両側に隣接する二本の配線から同時にノイズが飛び込んできた場合、これらのノイズが重なって配線の電位が大きく変動する。この結果、駆動部の誤動作が生じるという課題がある。
【０００６】
【課題を解決するための手段】
上述した従来の技術の課題を解決する為に以下の手段を講じた。即ち、本発明にかかる表示装置は、マトリクス状に画素が配された表示部と、各画素を順次駆動して該表示部に画像を表示する駆動部とからなり、前記駆動部は、外部から入力されたタイミング用の信号を一端から他端に順次伝送することで該画素を順次駆動する信号伝送回路を含む。前記信号伝送回路は、画像の反転表示を可能とする為、該信号を一端と他端の両端間で方向を切り換えて転送可能な双方向型であり、両端にそれぞれ設けた入力端子を接続する配線及び両端にそれぞれ設けた出力端子を接続する配線が平行に配されている。前記駆動部は、該双方向型の信号伝送回路が複数個並列に配置されているとともに、これらに属する複数本の配線が互いに隣接して平行配置しており、一本の配線の両側に隣接する二本の配線を通る信号の極性変化が互いに反対方向となる様に調整する調整手段を備えたことを特徴とする。好ましくは、前記調整手段は、該二本の配線のうち片方の配線の両端に挿入された極性反転素子からなる。また、前記表示部は、該駆動部によって点灯駆動及び消灯駆動される自発光型の画素を有し、前記駆動部は、各画素を点灯駆動する第１の双方向型信号伝送回路と、各画素を消灯駆動する為該第１の双方向型信号伝送回路に並列配置された第２の双方向型信号伝送回路とを含む。例えば、前記自発光型の画素は有機ＥＬ素子からなる。
【０００７】
本発明によれば、双方向型の信号伝送回路を並列配置した駆動部構成において、隣接する両側の配線の同時電位変化によるノイズの飛び込みを抑制する為、隣接する片側の配線を逆相となる様に調整している。これにより、隣接する両側配線から同時に飛び込むノイズの極性が反対となり、実質上キャンセルすることが可能になる。
【０００８】
【発明の実施の形態】
以下図面を参照して本発明に係る表示装置の実施の形態を詳細に説明する。まず最初に、本発明の背景を明らかにする為、図１を参照してアクティブマトリクス型表示装置の一般的な構成を簡潔に説明する。このアクティブマトリクス型表示装置は、マトリクス状に配置した画素２と、各画素２にデータ線８を介して必要な駆動電流を供給する為の水平駆動回路３と、垂直方向の書き込みタイミングを走査する為の垂直書込走査駆動回路４と、消去タイミングを走査する為の垂直消去走査駆動回路５とから構成されている。マトリクス状に配された画素２が表示部を構成し、周辺の駆動回路３，４，５が駆動部を構成している。表示装置１は、表示部と駆動部が同一の基板に一体的に集積形成されたパネル構造となっている。水平駆動回路３には水平方向のスタートパルスＨＳＰとクロックパルスＨＣＫが入力されている。垂直書込走査駆動回路４には書込走査用垂直方向のスタートパルスＶＳＰ１とクロックパルスＶＣＫが入力されている。同じく消去走査駆動回路５には、消去走査用垂直方向のスタートパルスＶＳＰ２とクロックパルスＶＣＫが入力される。
【０００９】
図示する様に、書込走査線９が行状に配列され、データ線８が列状に配列されている。各書込走査線９とデータ線８の交差部に画素２が形成されている。又、書込走査線９と平行に、消去走査線１０が形成されている。書込走査線９は垂直書込走査駆動回路４に接続されている。垂直書込走査駆動回路４はシフトレジスタからなる信号伝送回路を含んでおり、垂直クロックＶＣＫに同期して垂直スタートパルスＶＳＰ１を順次転送することにより書込走査線９を一走査サイクル内で順次選択する。
【００１０】
一方、消去走査線１０は垂直消去走査駆動回路５に接続されている。この駆動回路５もシフトレジスタからなる信号伝送回路を含んでおり、ＶＣＫに同期して垂直スタートパルスＶＳＰ２を順次転送することにより、消去走査線１０に制御信号を出力する。データ線８は水平駆動回路３に接続されており、書込走査線９の線順次走査に同期して、各データ線８は輝度情報に対応した電気信号を出力する。例えば、水平駆動回路３はいわゆる線順次駆動を行ない、選択された画素２の行に対して一斉に電気信号を供給する。これにより、画素２の行に輝度情報が書き込まれる。各画素２は書き込まれた輝度情報に応じた強度で発光を開始する。垂直消去走査駆動回路５はＶＳＰ２を受けた後、垂直クロックＶＣＫに同期して消去走査線１０を順次選択し、画素２の発光が走査線単位で停止していく。
【００１１】
図２は画素２の具体的な構成例を示す回路図である。画素２は、有機ＥＬ素子６、電流供給線７、データ線８、書込走査線９、消去走査線１０、書込トランジスタ１１、駆動トランジスタ１２、書込走査トランジスタ１３、消去走査トランジスタ１４、保持容量１５などから構成される。書込走査トランジスタ１３のゲートには、図１に示した垂直書込走査駆動回路によりタイミングが形成される書込走査線９が接続されている。又、消去走査トランジスタ１４のゲートには、図１に示した垂直消去走査駆動回路５によりタイミングが形成される消去走査線１０が接続されている。
【００１２】
前述した様に、本表示装置は、書込走査線９を順次選択する書込走査線駆動回路４と、消去走査線１０を順次選択する消去走査駆動回路５と、輝度情報に応じた電流レベルを有する信号電流を生成して逐次データ線８に供給する水平駆動回路３と、各走査線９，１０及び各データ線８の交差部に配されているとともに、駆動電流の供給を受けて発光する電流駆動型のＥＬ素子６を含む複数の画素２とで構成されている。ここで図２に示した画素２は、書込走査線９が選択された時データ線８から信号電流を取り込む受入部と、取り込んだ信号電流の電流レベルを一旦電圧レベルに変換して保持する変換部と、保持された電圧レベルに応じた電流レベルを有する駆動電流をＥＬ素子６に流す駆動部とからなる。具体的には、受入部は書込走査トランジスタ１３からなる。変換部は、ゲート、ソース、ドレイン及びチャネルを備えた書込トランジスタ１１と、そのゲートに接続した保持容量１５とを含んでいる。書込トランジスタ１１は、受入部によって取り込まれた信号電流をチャネルに流して変換された電圧レベルをゲートに発生させ、保持容量１５はゲートに生じた電圧レベルを保持する。更に変換部は、書込トランジスタ１１のゲートと保持容量１５との間に挿入された消去走査トランジスタ１４を含んでいる。このトランジスタ１４は、信号電流の電流レベルを電圧レベルに変換する時には導通し、ソースを基準とする電圧レベルをトランジスタ１１のゲートに生ぜしめる。更にこのトランジスタ１４は、電圧レベルを保持容量１５に保持する時に遮断され、書込トランジスタ１１のゲートと保持容量１５を切り離す。加えて、この消去走査トランジスタ１４は、消去走査時に導通して、保持容量１５に保持された電圧レベルを消去し、ＥＬ素子６を消灯する。更に前記駆動部は、ゲート、ドレイン、ソース及びチャネルを備えた駆動トランジスタ１２を含んでいる。駆動トランジスタ１２は、保持容量１５に保持された電圧レベルをゲートに受け入れそれに応じた電流レベルを有する駆動電流をチャネルを介してＥＬ素子６に流す。書込トランジスタ１１のゲートと駆動トランジスタ１２のゲートはスイッチング用のトランジスタ１４を介して互いに接続されており、カレントミラー回路を構成する。これにより、信号電流の電流レベルと駆動電流の電流レベルとが比例関係となる様にしてある。駆動トランジスタ１２は飽和領域で動作し、そのゲートに印加された電圧レベルと閾電圧との差に応じた駆動電流をＥＬ素子６に流す。
【００１３】
図３は、図１及び図２に示した表示回路の動作説明に供するタイミングチャートである。Ｖ走査駆動回路に入力されるＶＳＰ１とＶＳＰ２はＶＣＫにより順次シフトされ、ある画素に繋がる書込走査線ＳＣ１Ｚと消去走査線ＳＣ２Ｚが図のようなタイミングで示される。ＳＣ１ＺとＳＣ２Ｚが同時にＨ（ハイレベル）になると画素回路の書込走査トランジスタと消去走査トランジスタが同時にオンし、この書込み期間１６内で書込トランジスタと駆動トランジスタの２つのカレントミラー比で決まるＥＬ駆動電流量が書き込み電流量により制御される。ＥＬ駆動電流量は駆動トランジスタのゲートとソースの電位差により決定される。書込み期間１６内で書込み電流が落ち着いたところで所望の輝度でＥＬ素子の発光が開始される。書込みが完了するとＳＣ１ＺとＳＣ２Ｚはほぼ同時にＬ（ローレベル）になり、書込走査トランジスタと消去走査トランジスタがオフすることにより、駆動トランジスタのゲート・ソース間電位が保持容量により保持され、所望の輝度でＥＬ素子の発光が維持される。図３のタイミングＡでＳＣ２Ｚが再びＨ（ハイレベル）となり、再び消去走査トランジスタがオンすることにより保持容量により保持されていた電位が消去走査トランジスタと書込トランジスタを介して電流供給線の電位付近まで上昇し、駆動トランジスタのゲート・ソース間電位が閾値電圧Ｖｔｈ以下となり、ＥＬ素子の発光は停止する。ＥＬ素子の発光期間は図３の点灯時間１７となり、タイミングＡを調整することにより、ＥＬのデューティ駆動が可能となり、Ｒ、Ｇ、ＢバランスやＥＬ素子の電気的特性の設計自由度を増すことができる。
【００１４】
ＣＲＴにおいては、表示画像はμｓｅｃオーダで輝度が減衰するのに対し、アクティブマトリクス型の表示装置では一フレームの間画像を表示し続ける保持型の表示原理となっている。この為、動画表示を行なう場合、動画の輪郭に沿った画素はフレームの切り換わる直前まで画像を表示しており、これが人間の目の残像効果と相まって、次のフレームでもそこに像が表示されているかの如く感知する。これが、アクティブマトリクス型表示装置における動画表示の画質がＣＲＴに比較し低くなる根本原因である。この対策として、上述したデューティ駆動方法が効果的であり、画素を強制的に消灯して人間の目で感ずる残像を断ち切る技術を導入することで、動画質の改善を図ることができる。具体的には、アクティブマトリクス型の表示装置において、一フレームの前半で画像を表示する一方、一フレームの後半はあたかもＣＲＴ輝度が減衰するかの如くに、画像を消灯する方法を採用できる。動画質改善の為には、フレーム当り、点灯と消灯のデューティを例えば５０％程度に設定する。更に高い動画質改善の為には、フレーム当り、点灯と消灯のデューティを２５％以下に設定するとよい。
【００１５】
次に、図１〜図３を用いて説明したアクティブマトリクス型の表示装置で、画像の反転表示を行なう為には、双方向信号伝送回路が必要であり、その一般的な構成を図４に示す。例えば、左右反転表示を行なう場合には、図１に示した水平駆動回路３に双方向信号伝送回路を使う。又上下反転表示を行なう場合には、図１に示した垂直走査駆動回路４，５にそれぞれ双方向信号伝送回路を使えばよい。
【００１６】
図４に示した双方向信号伝送回路１９は、複数のシフトレジスタ（ＳＲ）と複数の正転路ゲート素子Ｌと複数の反転路ゲート素子Ｒとからなる。双方向信号伝送回路１９には、垂直方向のスタートパルスＶＳＰが両側から入力される。又、走査回路の動作確認を行なう為の検出信号ＯＵＴが両端から出力されている。一般にパネルへの入出力端子は極力少なくする為、ＶＳＰの信号配線とＯＵＴの信号配線はそれぞれ双方向信号伝送回路１９の片側に接続されている。
【００１７】
双方向信号伝送回路１９は、一対の入力端子ＩＮ及び出力端子ＯＴを各々備えた複数のシフトレジスタＳＲから構成されており、入出力端子間を順次接続した多段構造を有する。尚、本例では理解を容易にする為シフトレジスタＳＲは第１段から第５段まで５個の多段接続となっている。実際の応用を図る場合にはこの段数に特に制限はない。互いに隣り合う前後シフトレジスタＳＲの前段側出力端子と後段側入力端子間の接続路には逆路ゲート素子Ｒが介在しており、後段側出力端子と前段側入力端子間の接続路には順路ゲート素子Ｌが介在している。例えば、図示の多段接続において、前段側を第１ＳＲとし後段側を第２ＳＲとすると、第１ＳＲの出力端子ＯＴと第２ＳＲの入力端子ＩＮの接続路には逆路ゲート素子Ｒが介在している。又第２ＳＲの出力端子ＯＴと第１ＳＲの入力端子ＩＮ間の接続路には順路ゲート素子Ｌが介在している。これら逆路ゲート素子Ｒ及び順路ゲート素子Ｌを択一的に開閉制御することにより、前段側から後段側への逆方向信号転送（図では左側から右側への信号転送）と後段側から前段側への順方向信号転送（図では右側から左側への信号転送）を切換選択可能とする。
【００１８】
図５は、図４に示した双方向信号伝送回路の具体的な構成例を示す回路図である。図示を簡略化する為第１ＳＲ及び第２ＳＲとそれに付属する逆路ゲート素子Ｒ及び順路ゲート素子Ｌのみを示している。第１ＳＲ、第２ＳＲ共にＤ型フリップフロップから構成されており、クロック制御型の信号伝送ブロックである。Ｄ型フリップフロップは第１及び第２のクロックトインバータと第３のインバータからなり、互いに逆相のクロック信号ＣＫ１，ＣＫ２に応じて動作し、入力端子ＩＮから入力された信号をクロック信号の半周期分だけ遅延して出力端子ＯＴに出力する。逆路ゲート素子ＲはＣＭＯＳタイプのトランスミッションゲート素子からなり、順路ゲート素子Ｌも同じくトランスミッションゲート素子である。これらの逆路ゲート素子Ｒ及び順路ゲート素子Ｌは方向制御回路２０から供給される互いに逆相の制御信号ＣＴＲ，ＣＴＬにより制御されている。一方の制御信号ＣＴＲがハイレベルで他方の制御信号ＣＴＬがローレベルの時、逆路ゲート素子Ｒが開かれ、順路ゲート素子Ｌが閉じられる。従って、この時にはスタート信号ＶＳＰは最初の逆路ゲート素子Ｒを通過した後第１ＳＲの入力端子ＩＮに供給される。ここで、クロック信号の半周期分だけ遅延処理を施された後出力端子ＯＴから次の逆路ゲート素子Ｒを介して第２ＳＲの入力端子ＩＮに転送される。この様にして、スタートパルスＶＳＰは順次逆方向に向かって転送されていく。一方、制御信号ＣＴＲがローレベルで制御信号ＣＴＬがハイレベルに切り換わった時、逆路ゲート素子Ｒが閉じ順路ゲート素子Ｌが開く。この場合には順方向から転送されてきた信号が第２ＳＲの入力端子ＩＮに供給され所定の遅延処理を施された後、出力端子ＯＴから順路ゲート素子Ｌを介して第１ＳＲの入力端子ＩＮに転送される。再び所定の遅延処理を施された後出力端子ＯＴから出力された転送信号は次の順路ゲート素子Ｌに至る。
【００１９】
図６は、図１に示した表示装置において垂直書込走査駆動回路４として第一の双方向信号伝送回路２１を用い、垂直消去走査駆動回路５として第２の双方向信号伝送回路２２を用いた構成を表わしている。第１から第５のＳＲはシフトレジスタを示し、具体的にはＤ型フリップフロップで構成される。破線で示す書込用双方向信号伝送回路２１の両側にスタートパルスＶＳＰ１が入力され、検出信号ＯＵＴ１が両側から出力される。また破線に示す消去用双方向信号伝送回路２２の両側にスタートパルスＶＳＰ２が入力され、検出信号ＯＵＴ２が両側から出力される。ＶＳＰ１、ＯＵＴ１、ＶＳＰ２、ＯＵＴ２等双方向信号伝送回路の両端を結ぶ信号線をそれぞれｖｓｐ１、ｏｕｔ１、ｖｓｐ２、ｏｕｔ２で示すと、これらの信号線はできるだけ配線のクロスを避けるようにすると図に示すような配置になり、ｖｓｐ１にはｏｕｔ１とｏｕｔ２が隣接し、ｏｕｔ２にはｖｓｐ１とｖｓｐ２が隣接する。
【００２０】
図７は図６に示されるＶ双方向走査駆動回路の動作を示すタイミングチャート図である。書込用双方向信号伝送回路に入力されるｖｓｐ１と消去用双方向信号伝送回路に入力されるｖｓｐ２はＶＣＫにより順次シフトされ、それぞれＶＣＫの立ち上がりまたは立ち下がりのタイミングでｏｕｔ１、ｏｕｔ２として出力される。ｖｓｐ１、ｖｓｐ２、ｏｕｔ１、ｏｕｔ２は信号伝送回路の両端を結ぶため、配線が長く高抵抗であり、隣接する配線からの急激な電圧変化による飛込みが生じる。そのため図に示すようにそれぞれ隣接する配線の電圧変化が起きるタイミングでひげが発生する。図のＢのタイミングではｖｓｐ１とｖｓｐ２が同時に立ち下がり、ｖｓｐ１とｖｓｐ２の両方に隣接するｏｕｔ２は飛び込みが２倍になりＢのタイミングで大きなひげが発生する。同様にＣのタイミングではｏｕｔ１とｏｕｔ２が同時に立ち下がり、ｏｕｔ１とｏｕｔ２の両方に隣接するｖｓｐ１は飛び込みが２倍になりＣのタイミングで大きなひげが発生する。これらのひげが信号線の次段のゲートの閾値を越えて反転しひげが大きくなり、双方向信号伝送回路の誤動作を起したり、表示画素の書込走査トランジスタや消去走査トランジスタのゲート線に悪影響を与え、横筋を発生させる。
【００２１】
以上のような課題を解決するために本発明では、複数の双方向信号伝送回路が並列に配置され、それぞれの双方向信号伝送回路の両端に入力する信号もしくは両端から出力される信号が隣接されて配置された表示装置において、前記信号の両側に隣接する信号線のどちらか片側の信号線の両端に反転素子を用いて信号を反転させている。以下、本発明に係る表示装置の実施形態を詳細に説明する。
【００２２】
図８は、実施例１にかかる本発明の表示装置に組み込まれる並列配置した２個の双方向信号伝送回路２１，２２からなるＶ双方向走査駆動回路部の構成を示すブロック図である。第１から第５のＳＲはシフトレジスタを示し、具体的にはＤ型フリップフロップで構成される。破線に示す書込用双方向信号伝送回路２１の両側にスタートパルスＶＳＰ１が入力され、検出信号ＯＵＴ１が両側から出力される。また破線に示す消去用双方向信号伝送回路２２の両側にスタートパルスＶＳＰ２が入力され、検出信号ＯＵＴ２が両側から出力される。ＶＳＰ１、ＯＵＴ１、ＶＳＰ２、ＯＵＴ２等双方向信号伝送回路の両端を結ぶ信号線をそれぞれｖｓｐ１、ｏｕｔ１、ｖｓｐ２、ｏｕｔ２で示す。これらの信号線はできるだけ配線のクロスを避けるような配置とすると、ｖｓｐ１にはｏｕｔ１とｏｕｔ２が隣接し、ｏｕｔ２にはｖｓｐ１とｖｓｐ２が隣接する。ここで書込用双方向信号伝送回路２１に入力される信号ｖｓｐ１と出力される信号ｏｕｔ１の両端に反転素子２３を設ける。反転素子は具体的には１対のＰ型ＭＯＳトランジスタとＮ型ＭＯＳトランジスタで構成される。ｖｓｐ１は反転素子２３ｃにより反転されるが、反転素子２３ｂにより再び反転され書込用双方向信号伝送回路２１に入力するときはＶＳＰ１の位相が保たれる。同様に書込用双方向信号伝送回路２１から出力される信号は反転素子２３ａにより反転されｏｕｔ１となるが、反転素子２３ｄにより再び反転され、ＯＵＴ１は書込用双方向信号伝送回路２１から出力される信号の位相が保たれる。ｖｓｐ１とｏｕｔ１が反転素子により反転されることによって、ｖｓｐ１に隣接するｏｕｔ１とｏｕｔ２は片側が位相反転された状態になり、ｏｕｔ２に隣接するｖｓｐ１とｖｓｐ２は片側が位相反転された状態となる。
【００２３】
図９は図８に示されるＶ双方向走査駆動回路の動作を示すタイミングチャート図である。書込用双方向信号伝送回路に入力されるｖｓｐ１と消去用双方向信号伝送回路に入力されるｖｓｐ２はＶＣＫにより順次シフトされ、それぞれＶＣＫの立ち上がりまたは立ち下がりのタイミングでｏｕｔ１、ｏｕｔ２として出力される。ｖｓｐ１、ｖｓｐ２、ｏｕｔ１、ｏｕｔ２は走査駆動回路の両端を結ぶため、配線が長く高抵抗であり、隣接する配線からの急激な電圧変化による飛込みが生じる。ｖｓｐ１は隣接するｏｕｔ１とｏｕｔ２の両方の信号から急激に電圧変化が起こるタイミングで飛び込みによりひげが発生し、ｏｕｔ２は隣接するｖｓｐ１とｖｓｐ２の両方の信号から急激に電圧変化が起こるタイミングで飛び込みによりひげが発生する。図のＢのタイミングではｖｓｐ１とｖｓｐ２が同時に急激な電圧変化が起こるが、ｖｓｐ１は図８で示される反転素子２３ｃにより反転されるのでｖｓｐ１はＢのタイミングで立ち上がり、ｖｓｐ２はＢのタイミングで立ち下がる。すなわちｏｕｔ２はＢのタイミングで隣接する信号が反対方向に電圧変化が起こることにより飛び込みがキャンセルされ、発生するひげは小さくなる。次段のゲート閾値を越えて反転することはなくなり、動作確認用の検出信号ＯＵＴ２にひげは発生しなくなる。同様に図のＣのタイミングではｏｕｔ１とｏｕｔ２が同時に急激な電圧変化が起こるが、ｏｕｔ１は図８で示される反転素子２３ａにより反転されるのでｏｕｔ１はＣのタイミングで立ち上がり、ｏｕｔ２はＣのタイミングで立ち下がる。すなわちｖｓｐ１はＣのタイミングで隣接する信号が反対方向に電圧変化が起こることにより飛び込みがキャンセルされ、発生するひげは小さくなる。次段のゲート閾値を越えて反転することはなくなり、消去走査トランジスタのゲート線ＳＣ２＿１にひげは発生しなくなり、横筋が除去される。
【００２４】
図１０は、実施例２にかかる本発明の表示装置に組み込まれる並列配置した２個の双方向信号伝送回路２１，２２からなるＶ双方向走査駆動回路部の構成を示すブロック図である。第１から第５のＳＲはシフトレジスタを示し、具体的にはＤ型フリップフロップで構成される。破線に示す書込用双方向信号伝送回路２１の両側にスタートパルスＶＳＰ１が入力され、検出信号ＯＵＴ１が両側から出力される。また破線に示す消去用双方向信号伝送回路２２の両側にスタートパルスＶＳＰ２が入力され、検出信号ＯＵＴ２が両側から出力される。ＶＳＰ１、ＯＵＴ１、ＶＳＰ２、ＯＵＴ２等双方向信号伝送回路の両端を結ぶ信号線をそれぞれｖｓｐ１、ｏｕｔ１、ｖｓｐ２、ｏｕｔ２で示す。これらの信号線はできるだけ配線のクロスを避けるような配置とすると、ｖｓｐ１にはｏｕｔ１とｏｕｔ２が隣接し、ｏｕｔ２にはｖｓｐ１とｖｓｐ２が隣接する。ここで消去用双方向信号伝送回路２２に入力される信号ｖｓｐ２と出力される信号ｏｕｔ２の両端に反転素子２３を設ける。反転素子は具体的には１対のＰ型ＭＯＳトランジスタとＮ型ＭＯＳトランジスタで構成される。ｖｓｐ２は反転素子２３ｃにより反転されるが、反転素子２３ｂにより再び反転され消去用双方向信号伝送回路２２に入力するときはＶＳＰ２の位相が保たれる。同様に消去用双方向信号伝送回路２２から出力される信号は反転素子２３ａにより反転されｏｕｔ２となるが、反転素子２３ｄにより再び反転され、ＯＵＴ２は消去用双方向信号伝送回路２２から出力される信号の位相が保たれる。ｖｓｐ２とｏｕｔ２が反転素子により反転されることによって、ｖｓｐ１に隣接するｏｕｔ１とｏｕｔ２は片側が位相が反転された状態になり、ｏｕｔ２に隣接するｖｓｐ１とｖｓｐ２は片側が位相が反転された状態となる。
【００２５】
図１１は図１０に示されるＶ双方向走査駆動回路の動作を示すタイミングチャート図である。書込用双方向信号伝送回路に入力されるｖｓｐ１と消去用双方向信号伝送回路に入力されるｖｓｐ２はＶＣＫにより順次シフトされ、それぞれＶＣＫの立ち上がりまたは立ち下がりのタイミングでｏｕｔ１、ｏｕｔ２として出力される。ｖｓｐ１、ｖｓｐ２、ｏｕｔ１、ｏｕｔ２は走査駆動回路の両端を結ぶため、配線が長く高抵抗であり、隣接する配線からの急激な電圧変化による飛込みが生じる。ｖｓｐ１は隣接するｏｕｔ１とｏｕｔ２の両方の信号から急激に電圧変化が起こるタイミングで飛び込みによりひげが発生し、ｏｕｔ２は隣接するｖｓｐ１とｖｓｐ２の両方の信号から急激に電圧変化が起こるタイミングで飛び込みによりひげが発生する。図のＢのタイミングではｖｓｐ１とｖｓｐ２が同時に急激な電圧変化が起こるが、ｖｓｐ２は図１０で示される反転素子２３ｃにより反転されるのでｖｓｐ１はＢのタイミングで立ち下がり、ｖｓｐ２はＢのタイミングで立ち上がる。すなわちｏｕｔ２はＢのタイミングで隣接する信号が反対方向に電圧変化が起こることにより飛び込みがキャンセルされ、発生するひげは小さくなる。次段のゲート閾値を越えて反転することはなくなり、動作確認用の検出信号ＯＵＴ２にひげは発生しなくなる。同様に図のＣのタイミングではｏｕｔ１とｏｕｔ２が同時に急激な電圧変化が起こるが、ｏｕｔ２は図１０で示される反転素子２３ａにより反転されるのでｏｕｔ１はＣのタイミングで立ち下がり、ｏｕｔ２はＣのタイミングで立ち上がる。すなわちｖｓｐ１はＣのタイミングで隣接する信号が反対方向に電圧変化が起こることにより飛び込みがキャンセルされ、発生するひげは小さくなる。次段のゲート閾値を越えて反転することはなくなり、消去走査トランジスタのゲート線ＳＣ２＿１にひげは発生しなくなり、横筋が除去される。
【００２６】
図１２は、実施例３にかかる本発明の表示装置に組み込まれる並列配置した２個の双方向信号伝送回路２１，２２からなるＶ双方向走査駆動回路部の構成を示すブロック図である。第１から第５のＳＲはシフトレジスタを示し、具体的にはＤ型フリップフロップで構成される。破線に示す書込用双方向信号伝送回路２１の両側にスタートパルスＶＳＰ１が入力され、検出信号ＯＵＴ１が両側から出力される。また破線に示す消去用双方向信号伝送回路２２の両側にスタートパルスＶＳＰ２が入力され、検出信号ＯＵＴ２が両側から出力される。ＶＳＰ１、ＯＵＴ１、ＶＳＰ２、ＯＵＴ２の双方向信号伝送回路の両端を結ぶ信号線をそれぞれｖｓｐ１、ｏｕｔ１、ｖｓｐ２、ｏｕｔ２で示す。これらの信号線はできるだけ配線のクロスを避けるような配置とすると、ｖｓｐ１にはｏｕｔ１とｏｕｔ２が隣接し、ｏｕｔ２にはｖｓｐ１とｖｓｐ２が隣接する。ここで書込用双方向信号伝送回路２１に入力される信号ｖｓｐ１と消去用双方向信号伝送回路２２から出力される信号ｏｕｔ２の両端に反転素子２３を設ける。反転素子は具体的には１対のＰ型ＭＯＳトランジスタとＮ型ＭＯＳトランジスタで構成される。ｖｓｐ１は反転素子２３ｄにより反転されるが、反転素子２３ａにより再び反転され書込用双方向信号伝送回路２１に入力するときはＶＳＰ１の位相が保たれる。同様に消去用双方向信号伝送回路２２から出力される信号は反転素子２３ｂにより反転されｏｕｔ２となるが、反転素子２３ｃにより再び反転され、ＯＵＴ２は消去用双方向信号伝送回路２２から出力される信号の位相が保たれる。ｖｓｐ１とｏｕｔ２が反転素子により反転されることによって、ｖｓｐ１に隣接するｏｕｔ１とｏｕｔ２は片側が位相が反転された状態になり、ｏｕｔ２に隣接するｖｓｐ１とｖｓｐ２は片側が位相が反転された状態となる。
【００２７】
図１３は図１２に示されるＶ双方向走査駆動回路の動作を示すタイミングチャート図である。書込用双方向信号伝送回路に入力されるｖｓｐ１と消去用双方向信号伝送回路に入力されるｖｓｐ２はＶＣＫにより順次シフトされ、それぞれＶＣＫの立ち上がりまたは立ち下がりのタイミングでｏｕｔ１、ｏｕｔ２として出力される。ｖｓｐ１、ｖｓｐ２、ｏｕｔ１、ｏｕｔ２は走査駆動回路の両端を結ぶため、配線が長く高抵抗であり、隣接する配線からの急激な電圧変化による飛込みが生じる。ｖｓｐ１は隣接するｏｕｔ１とｏｕｔ２の両方の信号から急激に電圧変化が起こるタイミングで飛び込みによりひげが発生し、ｏｕｔ２は隣接するｖｓｐ１とｖｓｐ２の両方の信号から急激に電圧変化が起こるタイミングで飛び込みによりひげが発生する。図のＢのタイミングではｖｓｐ１とｖｓｐ２が同時に急激な電圧変化が起こるが、ｖｓｐ１は図１２で示される反転素子２３ｄにより反転されるのでｖｓｐ１はＢのタイミングで立ち上がり、ｖｓｐ２はＢのタイミングで立ち下がる。すなわちｏｕｔ２はＢのタイミングで隣接する信号が反対方向に電圧変化が起こることにより飛び込みがキャンセルされ、発生するひげは小さくなる。次段のゲート閾値を越えて反転することはなくなり、動作確認用の検出信号ＯＵＴ２にひげは発生しなくなる。同様に図のＣのタイミングではｏｕｔ１とｏｕｔ２が同時に急激な電圧変化が起こるが、ｏｕｔ２は図１２で示される反転素子２３ｂにより反転されるのでｏｕｔ１はＣのタイミングで立ち下がり、ｏｕｔ２はＣのタイミングで立ち上がる。すなわちｖｓｐ１はＣのタイミングで隣接する信号が反対方向に電圧変化が起こることにより飛び込みがキャンセルされ、発生するひげは小さくなる。次段のゲート閾値を越えて反転することはなくなり、消去走査トランジスタのゲート線ＳＣ２＿１にひげは発生しなくなり、横筋が除去される。なお図１２では書込用双方向信号伝送回路２１に入力される信号ｖｓｐ１と消去用双方向信号伝送回路２２から出力される信号ｏｕｔ２の両端に反転素子２３を設け、ｖｓｐ１とｏｕｔ２を反転させることによりｖｓｐ１に隣接するｏｕｔ１とｏｕｔ２による飛込みをキャンセルし、ｏｕｔ２に隣接するｖｓｐ１とｖｓｐ２による飛込みをキャンセルしていたが、消去用双方向信号伝送回路に入力される信号ｖｓｐ２と書込用双方向信号伝送回路から出力される信号ｏｕｔ１の両端に反転素子を設け、ｖｓｐ１とｏｕｔ２の両側に隣接する信号線からの飛び込みをキャンセルしてもよい。
【００２８】
図１４は、実施例４にかかる本発明の表示装置に組み込まれる並列配置した４個の双方向信号伝送回路２４〜２７からなるＶ双方向走査駆動回路部の構成を示すブロック図である。Ｒ、Ｇ、Ｂ共通の書込用双方向信号伝送回路２４の両側にスタートパルスＶＳＰ１が入力され、検出信号ＯＵＴ１が両側から出力される。Ｒ消去用双方向信号伝送回路２５の両側にスタートパルスＶＳＰ２Ｒが入力され、検出信号ＯＵＴ２Ｒが両側から出力される。Ｇ消去用双方向信号伝送回路２６の両側にスタートパルスＶＳＰ２Ｇが入力され、検出信号ＯＵＴ２Ｇが両側から出力される。Ｂ消去用双方向信号伝送回路２７の両側にスタートパルスＶＳＰ２Ｂが入力され、検出信号ＯＵＴ２Ｂが両側から出力される。ＶＳＰ１、ＯＵＴ１、ＶＳＰ２Ｒ、ＯＵＴ２Ｒ、ＶＳＰ２Ｇ、ＯＵＴ２Ｇ、ＶＳＰ２Ｂ、ＯＵＴ２Ｂ等双方向信号伝送回路の両端を結ぶ信号線をそれぞれｖｓｐ１、ｏｕｔ１、ｖｓｐ２ｒ、ｏｕｔ２ｒ、ｖｓｐ２ｇ、ｏｕｔ２ｇ、ｖｓｐ２ｂ、ｏｕｔ２ｂで示す。これらの信号線はできるだけ配線のクロスを避けるように配置されている。ここでＲ消去用双方向信号伝送回路２５に入力される信号ｖｓｐ２ｒと出力される信号ｏｕｔ２ｒ、Ｂ消去用双方向信号伝送回路２７に入力される信号ｖｓｐ２ｂと出力される信号ｏｕｔ２ｂの両端に反転素子２８を設ける。反転素子は具体的には１対のＰ型ＭＯＳトランジスタとＮ型ＭＯＳトランジスタで構成される。ｖｓｐ２ｒとｖｓｐ２ｂが反転素子により反転されることによって、ｏｕｔ２ｒに隣接するｖｓｐ１とｖｓｐ２ｒは片側が位相が反転された状態になり、ｏｕｔ２ｇに隣接するｖｓｐ２ｒとｖｓｐ２ｇは片側が位相が反転された状態になり、ｏｕｔ２ｂに隣接するｖｓｐ２ｇとｖｓｐ２ｂは片側が位相が反転された状態になる。また、ｏｕｔ２ｒとｏｕｔ２ｂが反転素子により反転されることによって、ｖｓｐ１に隣接するｏｕｔ１とｏｕｔ２ｒは片側が位相が反転された状態になり、ｖｓｐ２ｒに隣接するｏｕｔ２ｒとｏｕｔ２ｇは片側が位相が反転された状態になり、ｖｓｐ２ｇに隣接するｏｕｔ２ｇとｏｕｔ２ｂは片側が位相が反転された状態になる。よって両側に隣接した信号線を持つすべての信号線はどちらか片側が位相が反転された状態になり、ノイズの飛び込みがキャンセルされる。なお、図１４ではＲ消去用双方向信号伝送回路２５に入力される信号ｖｓｐ２ｒと出力される信号ｏｕｔ２ｒ、Ｂ消去用双方向信号伝送回路２７に入力される信号ｖｓｐ２ｂと出力される信号ｏｕｔ２ｂの両端に反転素子２８を設けたが、これに限らず、両側に隣接した信号線を持つすべての信号がどちらか片側の位相が反転された状態ならば、反転素子の設ける場所はこれに限らない。
【００２９】
図１５は、実施例５にかかる本発明の表示装置に組み込まれる並列配置した４個の双方向信号伝送回路からなるＶ双方向走査駆動回路部の構成を示すブロック図である。Ｒ、Ｇ、Ｂ共通の書込用双方向信号伝送回路２４の両側にスタートパルスＶＳＰ１が入力され、検出信号ＯＵＴ１が両側から出力される。Ｒ消去用双方向信号伝送回路２５の両側にスタートパルスＶＳＰ２Ｒが入力され、検出信号ＯＵＴ２Ｒが両側から出力される。Ｇ消去用双方向信号伝送回路２６の両側にスタートパルスＶＳＰ２Ｇが入力され、検出信号ＯＵＴ２Ｇが両側から出力される。Ｂ消去用双方向信号伝送回路２７の両側にスタートパルスＶＳＰ２Ｂが入力され、検出信号ＯＵＴ２Ｂが両側から出力される。ＶＳＰ１、ＯＵＴ１、ＶＳＰ２Ｒ、ＯＵＴ２Ｒ、ＶＳＰ２Ｇ、ＯＵＴ２Ｇ、ＶＳＰ２Ｂ、ＯＵＴ２Ｂの双方向信号伝送回路の両端を結ぶ信号線をそれぞれｖｓｐ１、ｏｕｔ１、ｖｓｐ２ｒ、ｏｕｔ２ｒ、ｖｓｐ２ｇ、ｏｕｔ２ｇ、ｖｓｐ２ｂ、ｏｕｔ２ｂで示す。これらの信号線はできるだけ配線のクロスを避けるように配置されている。ここでＲ消去用双方向信号伝送回路２５のスタートパルスＶＳＰ２Ｒの直後と、ｖｓｐ２ｒがＲ消去用双方向信号伝送回路２５の両側から入力される直前と、ｏｕｔ２ｒがＲ消去用双方向信号伝送回路２５の両側から出力される直後と出力端子部ＯＵＴ２Ｒの直前に反転素子２９を設ける。また、Ｂ消去用双方向信号伝送回路２７のスタートパルスＶＳＰ２Ｂの直後と、ｖｓｐ２ｂがＢ消去用双方向信号伝送回路２７の両側から入力される直前と、ｏｕｔ２ｂがＢ消去用双方向信号伝送回路２７の両側から出力される直後と出力端子部ＯＵＴ２Ｂの直前に反転素子２９を設ける。反転素子は具体的には１対のＰ型ＭＯＳトランジスタとＮ型ＭＯＳトランジスタで構成される。例えばＲ消去用双方向信号伝送回路２５の場合、ＶＳＰ２Ｒは反転素子２９ａにより反転されるが、反転素子２９ｂ、２９ｃにより再び反転されＲ消去用双方向信号伝送回路２５に入力するときはＶＳＰ２Ｒの位相が保たれる。同様にＲ消去用双方向信号伝送回路２５から出力される信号は反転素子２９ｂ、２９ｃにより反転されるが、反転素子２９ａにより再び反転され、ＯＵＴ２ＲはＲ消去用双方向信号伝送回路２５から出力される信号の位相が保たれる。Ｂ消去用双方向信号伝送回路２７についてもＶＳＰ２ＢとＯＵＴ２Ｂの位相は保たれる。ｖｓｐ２ｒとｖｓｐ２ｂが反転素子により反転されることによって、ｏｕｔ２ｒに隣接するｖｓｐ１とｖｓｐ２ｒは片側が位相が反転された状態になり、ｏｕｔ２ｇに隣接するｖｓｐ２ｒとｖｓｐ２ｇは片側が位相が反転された状態になり、ｏｕｔ２ｂに隣接するｖｓｐ２ｇとｖｓｐ２ｂは片側が位相が反転された状態になる。また、ｏｕｔ２ｒとｏｕｔ２ｂが反転素子により反転されることによって、ｖｓｐ１に隣接するｏｕｔ１とｏｕｔ２ｒは片側が位相が反転された状態になり、ｖｓｐ２ｒに隣接するｏｕｔ２ｒとｏｕｔ２ｇは片側が位相が反転された状態になり、ｖｓｐ２ｇに隣接するｏｕｔ２ｇとｏｕｔ２ｂは片側が位相が反転された状態になる。よって両側に隣接した信号線を持つすべての信号線はどちらか片側が位相が反転された状態になり、ノイズの飛び込みがキャンセルされる。なお、図１５ではＲ消去用双方向信号伝送回路２５のスタートパルスＶＳＰ２Ｒの直後と、ｖｓｐ２ｒがＲ消去用双方向信号伝送回路２５の両側から入力される直前と、ｏｕｔ２ｒがＲ消去用双方向信号伝送回路２５の両側から出力される直後と出力端子部ＯＵＴ２Ｒの直前と、Ｂ消去用双方向信号伝送回路２７のスタートパルスＶＳＰ２Ｂの直後と、ｖｓｐ２ｂがＢ消去用双方向信号伝送回路２７の両側から入力される直前と、ｏｕｔ２ｂがＢ消去用双方向信号伝送回路２７の両側から出力される直後と出力端子部ＯＵＴ２Ｂの直前に反転素子２９を設けたが、これに限らず、両側に隣接した信号線を持つすべての信号がどちらか片側の位相が反転された状態ならば、反転素子を設ける場所はこれに限らない。
【００３０】
係る構成によれば、ＲＧＢの各色毎に輝度を調節できる。ＲＧＢの各色毎に消去タイミングを適切に調整することで、カラー画像表示装置の色度調節が容易になり、カラーバランスを簡単に取ることが可能である。例えば、画面を観察して赤味成分が強過ぎる場合には、Ｒ消去用双方向信号伝送回路２５に入力するスタートパルスＶＳＰ２Ｒのタイミングを調節し、赤色に対応するデューティを相対的に小さくすることで、赤味成分を弱めることができる。
【００３１】
【発明の効果】
以上説明したように本発明の表示装置によれば、双方向シフトレジスタに入力されるスタート信号或いは出力される動作確認用信号を反転素子により反転させることにより、隣接信号からの同時立ち上がり或いは立ち下りによる飛び込みノイズを低減することができ、シフトレジスタの誤動作を回避することができる。また、飛び込みにより発生する表示部への走査線に発生するひげを除去することにより、表示素子への横筋を除去することができる。
【図面の簡単な説明】
【図１】従来のアクティブマトリクス型有機ＥＬ表示装置の一例を示すブロック図である。
【図２】従来のアクティブマトリクス型有機ＥＬ表示装置を構成する画素回路の一例である。
【図３】従来のアクティブマトリクス型有機ＥＬ表示装置の動作を説明するタイミングチャート図である。
【図４】従来の双方向信号伝送回路の一例を示すブロック図である。
【図５】図４に示した双方向信号伝送回路の構成例を示す回路図である。
【図６】図４に示した従来の双方向信号伝送回路をアクティブマトリクス型有機ＥＬ表示装置に適用した場合の構成図である。
【図７】図６に示した構成図による動作タイミングチャート図である。
【図８】本発明に係る双方向走査駆動回路の第一実施形態を示す構成図である。
【図９】本発明に係る図８で示した双方向走査駆動回路の第一実施形態のタイミングチャート図である。
【図１０】本発明に係る双方向走査駆動回路の第二実施形態を示す構成図である。
【図１１】本発明に係る図１０で示した双方向走査駆動回路の第二実施形態のタイミングチャート図である。
【図１２】本発明に係る双方向走査駆動回路の第三実施形態を示す構成図である。
【図１３】本発明に係る図１２で示した双方向走査駆動回路の第三実施形態のタイミングチャート図である。
【図１４】本発明に係る双方向走査駆動回路の第四実施形態を示す構成図である。
【図１５】本発明に係る双方向走査駆動回路の第五実施形態を示す構成図である。
【符号の説明】
１・・・表示装置、２・・・画素、３・・・水平駆動回路、４・・・垂直書込走査駆動回路、５・・・垂直消去走査駆動回路、８・・・データ線、９・・・書込走査線、１０・・・消去走査線、１９・・・双方向信号伝送回路、２０・・・方向制御回路、２１・・・双方向信号伝送回路、２２・・・双方向信号伝送回路
【図１】
2004157437.tif 000003
【図２】
2004157437.tif 000004
【図３】
2004157437.tif 000005
【図４】
2004157437.tif 000006
【図５】
2004157437.tif 000007
【図６】
2004157437.tif 000008
【図７】
2004157437.tif 000009
【図８】
2004157437.tif 000010
【図９】
2004157437.tif 000011
【図１０】
2004157437.tif 000012
【図１１】
2004157437.tif 000013
【図１２】
2004157437.tif 000014
【図１３】
2004157437.tif 000015
【図１４】
2004157437.tif 000016
【図１５】
2004157437.tif 000017